(57)【要約】【課題】施錠・解錠の優れた機能を維持しつつ、部品点数を削減し、構造を簡単化し、安価に製造することが可能なゲーム機の施錠装置を提供する。【解決手段】基枠体１の支持板３の上下に１対のラッチ部材５，６が回動可能に枢支される。上下のラッチ部材５，６は、連結杆４により連結される。基枠体１の取付板２にシリンダ錠７がその錠軸を内側に挿入して取り付けられ、錠軸に固定されたカム部材８の近傍の中間支持板３０に、係止孔３７付き長孔３６が長手方向に沿って形成される。カム部材８の近傍の連結杆４に回動係止部材９が回動可能に軸支される。回動係止部材９には係合軸部９ｂが設けられる一方、係合軸部９ｂが係止孔３７付き長孔３６内に移動可能に係合される。中間支持板３０と回動係止部材９間にコイルばね１１が回動係止部材と連結杆を解錠側に付勢して掛け渡される。【選択図】図５
2011254851.tif 000002
【特許請求の範囲】
【請求項１】
略Ｌ字状に形成された取付板と支持板とを有する縦長の基枠体の該支持板に沿って、長尺の連結杆が摺動可能に配設され、該取付板にシリンダ錠がその錠軸を該基枠体内に挿入するように取り付けられ、該シリンダ錠の錠軸にカム部材が固定され、溝状のロック凹部を有する１対のラッチ部材が該支持板の上下に受け具の係止部を受け入れて拘束するように回動可能に軸支され、該基枠体の取付板がゲーム機の前扉の内側に取り付けられ、ゲーム機の筐体の内側に該受け具が取り付けられるゲーム機の施錠装置において、
該１対のラッチ部材が連結軸を介して連結杆により連結され、
該カム部材の近傍の該支持板に、係止孔付き長孔が長手方向に沿って形成され、
該カム部材の近傍の該連結杆に回動係止部材が回動可能に軸支され、
該回動係止部材には係合軸部が設けられる一方、該係合軸部が該係止孔付き長孔内に移動可能に係合され、
該支持板と該回動係止部材間にコイルばねが、該回動係止部材と該連結杆を解錠側に付勢して掛け渡され、
該ラッチ部材は該前扉を閉じた際、該受け具の係止部により押し付けられて施錠側に回動し、該連結杆は該回動係止部材と共に施錠側に摺動する一方、該回動係止部材は該係合軸部が該係止孔付き長孔を移動して該係止孔に達したとき該係止孔に係止され、該係合軸部の係止孔への係止によって該回動係止部材と該連結杆が施錠位置にロックされて上下の該ラッチ部材が施錠状態でロックされ、
該シリンダ錠による解錠操作時、該カム部材により該回動係止部材が該コイルばねの付勢力に抗して解錠側に回動させたとき、該係合軸部が該係止孔付き長孔の該係止孔から外れて該長孔に移動し、該コイルばねの付勢力により該連結杆を介して該ラッチ部材が解錠側に回動することを特徴とするゲーム機の施錠装置。
【請求項２】
前記カム部材近傍の支持板は、中間支持板として他の支持板部分とは切り離し且つ側方にずらして形成され、該中間支持板に前記係止孔付き長孔が長手方向に沿って形成され、前記連結杆及び上下のラッチ部材は該支持板の外側に配置される一方、該連結杆における該回動係止部材が軸支される部分は該中間支持板の内側に配置されたことを特徴とする請求項１記載のゲーム機の施錠装置。
【請求項３】
前記シリンダ錠近傍の前記基枠体の背面側を覆ってカバー体が取り付けられ、前記中間支持板、前記回動係止部材、前記コイルばね、及びカム部材が該カバー体により覆われたことを特徴とする請求項２記載のゲーム機の施錠装置。
【請求項４】
スイッチ作動杆が前記基枠体の支持板に沿って配設され、前記連結杆及び該スイッチ作動杆に各々スイッチ作動片が設けられ、該スイッチ作動片の移動に応じてオンオフする非接触スイッチが、該基枠体に固定されたスイッチ箱内に取り付けられたことを特徴とする請求項１記載のゲーム機の施錠装置。
【発明の詳細な説明】
【技術分野】
【０００１】
本発明は、スロットマシンなどのゲーム機の前扉をキャビネットに対し施錠するゲーム機の施錠装置に関し、特に施錠・解錠の優れた機能を維持しつつ、部品点数を少なくし且つ構造を簡単化することができるゲーム機の施錠装置に関する。
【背景技術】
【０００２】
従来、スロットマシンなどゲーム機の施錠装置として、基枠体の内側に作動杆が摺動可能に配設され、基枠体の支持板の上部と下部に鉤部材が、作動杆に連結されて傾動可能に枢支され、基枠体の取付板の中間部に、シリンダ錠がその錠軸を取付板に設けた孔から内側に差し込むように固定され、錠軸の先端に作動杆と係合するカム部材が取り付けられた構成の施錠装置が使用されている。
【０００３】
この種のゲーム機用施錠装置は、構造が強固で、施錠・解錠動作も確実に行うことができるものの、構造上、前面枠の内側に取付けられた施錠装置の鉤部材が前面枠の内側から突出する。このため、前面枠のアッセンブリーを梱包して搬送する場合、その梱包が難しく、突出した鉤部材が搬送中に他の部分に当たって傷つく等の問題があった。
【０００４】
そこで、本発明者らは、従来、前面枠の内側から突出する部分がなく、前面枠を本体枠に対し、円滑且つ確実に施錠・解錠することができるゲーム機の施錠装置を提案した（下記の特許文献１を参照）。
【先行技術文献】
【特許文献】
【０００５】
【特許文献１】特開２００４−１０５４１７号公報
【発明の開示】
【発明が解決しようとする課題】
【０００６】
この施錠装置は、取付板と支持板とを有する基枠体の内側に長尺の作動杆が摺動可能に配設され、取付板の中間部にシリンダ錠が固定され、シリンダ錠の錠軸にカム部材が作動杆に係合可能に取り付けられ、基枠体の取付板が前面枠の内側に取り付けられ、本体枠の内側に受け具が取り付けられる。基枠体の支持板の上部と下部に受け具の進入を許容する開口凹部が形成され、開口凹部内の受け具を拘束する溝状のラッチ凹部を有する略半円形状のラッチ部材が上部と下部の開口凹部の近傍に各々回動可能に枢支される。
【０００７】
ラッチ部材には係止ピンが移動可能に取り付けられ、支持板に係止ピンの先端が係合しガイドされるガイド係止孔がロック部を有して形成され、作動杆にはその移動時にラッチ部材の係止ピンに係合してロック部によるロックを外すように動作する作動係合部が設けられ、ラッチ部材を解錠側に付勢するばね部材が内蔵される。
【０００８】
この施錠装置は、前面枠を閉じて施錠操作を行なったとき、上部と下部のラッチ部材のラッチ凹部に受け具の係止部が嵌入し、その係止部に押されてラッチ部材がラッチ位置に回動した時、ラッチ部材の係止ピンがガイド係止孔からロック部に移動し、ラッチ部材をラッチ位置にロックして施錠する。一方、解錠時にはシリンダ錠の操作によりカム部材を介して作動杆が移動すると、作動杆の作動係合部がロック部によるラッチ部材のロックを外すように動作し、ラッチ部材がばね部材の付勢力により解錠側に回動し、解錠する。
【０００９】
しかし、この種の溝状のラッチ凹部を有し、受け具の係止部をラッチ凹部に受け入れながら回動して施錠するラッチ部材を備えた施錠装置は、前面枠の施錠と解錠をスムーズに且つ確実に行なうことができるものの、部品点数が比較的多く、加工工数や組み付け時の組付工数が多くなり、製造コストも高くなる。
【００１０】
本発明は、上記の点に鑑み、施錠・解錠の優れた機能を維持しつつ、部品点数を削減し、構造を簡単化し、安価に製造することが可能なゲーム機の施錠装置を提供することを目的とする。
【課題を解決するための手段】
【００１１】
上記目的を達成するために、本発明の第１発明の施錠装置は、
略Ｌ字状に形成された取付板と支持板とを有する縦長の基枠体の該支持板に沿って、長尺の連結杆が摺動可能に配設され、該取付板にシリンダ錠がその錠軸を該基枠体内に挿入するように取り付けられ、該シリンダ錠の錠軸にカム部材が固定され、溝状のロック凹部を有する１対のラッチ部材が該支持板の上下に受け具の係止部を受け入れて拘束するように回動可能に軸支され、該基枠体の取付板がゲーム機の前扉の内側に取り付けられ、ゲーム機の筐体の内側に該受け具が取り付けられるゲーム機の施錠装置において、
該１対のラッチ部材が連結軸を介して連結杆により連結され、
該カム部材の近傍の該支持板に、係止孔付き長孔が長手方向に沿って形成され、
該カム部材の近傍の該連結杆に回動係止部材が回動可能に軸支され、
該回動係止部材には係合軸部が設けられる一方、該係合軸部が該係止孔付き長孔内に移動可能に係合され、
該支持板と該回動係止部材間にコイルばねが、該回動係止部材と該連結杆を解錠側に付勢して掛け渡され、
該ラッチ部材は該前扉を閉じた際、該受け具の係止部により押し付けられて施錠側に回動し、該連結杆は該回動係止部材と共に施錠側に摺動する一方、該回動係止部材は該係合軸部が該係止孔付き長孔を移動して該係止孔に達したとき該係止孔に係止され、該係合軸部の係止孔への係止によって該回動係止部材と該連結杆が施錠位置にロックされて上下の該ラッチ部材が施錠状態でロックされ、
該シリンダ錠による解錠操作時、該カム部材により該回動係止部材が該コイルばねの付勢力に抗して解錠側に回動させたとき、該係合軸部が該係止孔付き長孔の該係止孔から外れて該長孔に移動し、該コイルばねの付勢力により該連結杆を介して該ラッチ部材が解錠側に回動することを特徴とする。
【００１２】
この発明によれば、前扉を閉じて行なう施錠時、ラッチ部材が回動しながらそのロック凹部に受け具を嵌め入れてロックし、解錠時には、回動係止部材の係止を解除し連結杆を介してラッチ部材を開放側に回動させて解錠するという、施錠・解錠の優れた機能を維持しつつ、基枠体、上下のラッチ部材、連結杆、回動係止部材、及び連結杆と回動係止部材を付勢する１本のコイルばねという、少ない部品点数で簡単に施錠装置を構成することができ、製品を安価に製造することができる。
【００１３】
請求項２の発明は、上記請求項１の施錠装置において、カム部材近傍の支持板が、中間支持板として他の支持板部分とは切り離し且つ側方にずらして形成され、該中間支持板に前記係止孔付き長孔が長手方向に沿って形成され、前記連結杆及び上下のラッチ部材は該支持板の外側に配置される一方、該連結杆における該回動係止部材が軸支される部分は該中間支持板の内側に配置されたことを特徴とする。
【００１４】
この発明によれば、ラッチ部材の位置を支持板の外側とすることで、前扉の自由端側の隙間から挿入される針金などの不正器具がラッチ部材に到達しにくくすることができる。
【００１５】
また、請求項３の発明は、上記請求項２の施錠装置において、シリンダ錠近傍の基枠体の背面側を覆ってカバー体が取り付けられ、中間支持板、回動係止部材、コイルばね、及びカム部材が該カバー体により覆われたことを特徴とする。
【００１６】
この発明によれば、中間支持板、回動係止部材、コイルばね、及びカム部材がカバー体により覆われるので、前扉の自由端側の隙間から挿入される針金などの不正器具による不正解錠を防止することができる。
【００１７】
また、請求項４の発明は、上記請求項１の施錠装置において、スイッチ作動杆が基枠体の支持板に沿って配設され、連結杆及びスイッチ作動杆に各々スイッチ作動片が設けられ、スイッチ作動片の移動に応じてオンオフする非接触スイッチが、基枠体に固定されたスイッチ箱内に取り付けられたことを特徴とする。
【００１８】
この発明によれば、スイッチ作動片及び非接触スイッチがスイッチ箱内に収容されるので、施錠装置の輸送途中などに非接触スイッチが他の部材との干渉によって傷つく虞がなく、また不正に非接触スイッチが動作する虞も解消できる。
【発明の効果】
【００１９】
本発明のゲーム機の施錠装置によれば、施錠・解錠の優れた機能を維持しつつ、部品点数を削減し、構造を簡単化し、安価に製造することができる。
【図面の簡単な説明】
【００２０】
【図１】本発明の一実施例を示す施錠装置の正面図である。
【図２】同施錠装置の斜視図である。
【図３】同施錠装置のカバー体を外した状態の斜視図である。
【図４】同施錠状態の左側面図である。
【図５】同施錠状態の斜視図である。
【図６】同施錠状態の右側面図である。
【図７】同カバー体を外した状態の背面図である。
【図８】施錠装置の分解斜視図である。
【図９】連結杆に回動係止部材を取り付けた状態の斜視図である。
【図１０】基枠体に対し連結杆及び回動係止部材を組み付けた状態の斜視図である。
【図１１】カバー体を外した状態の、施錠状態の部分拡大右側面図である。
【図１２】同施錠状態の部分拡大左側面図である。
【図１３】カム部材により回動係止部材が回動し、係合軸部が係止孔から外れた状態の部分拡大左側面図である。
【図１４】回動係止部材の回動により係止が外れて回動係止部材と共に連結杆が解錠位置まで移動した状態の部分拡大左側面図である。
【図１５】前扉を閉鎖して施錠した状態の左側面図である。
【図１６】解錠操作時のカム部材、回動係止部材、及び連結杆の動作を示す説明斜視図である。
【発明を実施するための形態】
【００２１】
以下、本発明の一実施形態を図面に基づいて説明する。図１はスロットマシンなどのゲーム機の前扉を筐体に対し施錠する際に使用される施錠装置の正面図を示し、図２は同施錠装置の斜視図を、図３はカバー体１４を外した状態の斜視図を示し、図８はその分解斜視図を示している。この施錠装置は、縦長の基枠体１を基本フレームとして構成され、長尺フレーム状の基枠体１は、横断面を略Ｌ字状に形成された取付板２と支持板３とから構成される。
【００２２】
基枠体１の取付板２は、施錠装置をゲーム機の前扉の内側に取り付けるために縦長の板状に形成され、複数の取付孔が設けられ、取付板２の略中央に幅広部が設けられ、幅広部には、図８に示すように、シリンダ錠７を取り付けるための挿入孔２ａが設けられている。シリンダ錠７は、円筒の基部にフランジ７ｂを有し、そのフランジ７ｂから背面側に錠軸７ａを突設して構成され、シリンダ錠７は、その錠軸７ａを基枠体１の内側に入れるように、つまり、円筒を基枠体１の内側から挿入孔２ａに挿入し、フランジ７ｂを取付板２の内側に当ててねじで固定し、取り付けられる。なお、シリンダ錠７はこの例では長尺のものを使用しているが、通常の長さのものを使用することもできる。シリンダ錠７の錠軸７ａには、図７、８に示すようにカム部材８が取り付けられ、カム部材８には回動係止部材９の係合部９ｃに係合可能な第１係合凸部８ａ、及びスイッチ作動杆１０に係合可能な第２係合凸部８ｂが設けられている。
【００２３】
支持板３の中間部の中間支持板３０は、図８に示すように、他の支持板３の部分とは切り離され且つ左側に偏倚して形成され、支持板３の外側（正面から見て左側）に沿って連結杆４が摺動可能に配され、連結杆４は中間支持板３０の内側（正面から見て右側）を通って配されている。支持板３の上部に背面側に突き出すように突出部３ａが形成され、その突出部３ａの外側に、上側のラッチ部材５が枢軸５ａにより回動可能に枢支される。同様に、支持板３の下部に背面側に突き出すように突出部３ｂが形成され、その突出部３ｂの外側に、下側のラッチ部材６が枢軸６ａにより回動可能に枢支される。支持板３の突出部３ａ，３ｂの上側は、受け具の係止部を進入させるための開口凹部３１，３２が形成されている（図８、図１０）。
【００２４】
図８、図１３などに示すように、上下に配した１対のラッチ部材５，６は、各々、略半円形状に鋼板を裁断して形成され、ラッチ部材５，６には、各々、受け具の係止部を受け入れて拘束しロックするために、溝状のロック凹部５ｃ、６ｃが略Ｕ字状に形成されている。このようなラッチ部材５，６は、枢軸５ａ，６ａを中心に所定の角度範囲（施錠と解錠の角度範囲）内で回動するように、支持板３の突出部３ａ，３ｂの外側に、軸支されている。
【００２５】
さらに、ラッチ部材５，６には、各々、係止部５ｄ、６ｄ及び係止部５ｅ，６ｅが形成される。つまり、図１４のように、解錠時にラッチ部材５，６が制限端まで回動したとき、支持板３のストッパ３３，３４に当接して停止するように、係止部５ｄ、６ｄがラッチ部材５，６の一部に各々設けられる。また、図１３のように、施錠時にラッチ部材５，６が制限端部まで回動したとき、支持板３のストッパ３３，３４に当接して停止するように、係止部５ｅ、６ｅがラッチ部材５，６の一部に各々設けられる。
【００２６】
ストッパ３３，３４は、支持板３の上部と下部におけるラッチ部材５，６の近傍に、ラッチ部材５，６の係止部５ｄ、６ｄ及び係止部５ｅ，６ｅが解錠時または施錠時に当接して停止するように支持板３の外側に突設される。施錠時におけるラッチ部材５，６の停止位置は、図１３などに示すように、そのロック凹部５ｃ、６ｃを真上位置とする状態であり、解錠時におけるラッチ部材５，６の停止位置は、図１４に示すように、ロック凹部５ｃ、６ｃを真上位置（垂直方向）から約５０°背面側に回動した状態である。なお、支持板３における上側の突出部３ａの下側には、支持ローラ１５が回動可能に軸支され、前扉を閉じる際、筐体側に固定される受け具４２の滑り板４５上に乗り上げ、転動するようになっている。
【００２７】
一方、解錠時におけるラッチ部材５，６は、図１４に示す如く、それらが連結される連結杆４の上昇により、背面側に回動することにより、受け具４２の係止部４３，４４を保持していたロック凹部５ｃ、６ｃが背面側を向き、そこから係止部４３，４４が離脱することで、解錠動作がなされるようになっている。
【００２８】
図１３などに示すように、上下のラッチ部材５，６は、その略中心部を枢軸５ａ，６ａにより支持板３に対し回動可能に枢支されているが、ラッチ部材５の偏心位置に連結杆４の上端部が連結軸５ｂにより連結され、ラッチ部材６の偏心位置に連結杆４の下端部が連結軸６ｂにより連結され、連結杆４の上昇により、ラッチ部材５，６は図１４の如く回動して解錠動作し、前扉を閉じて受け具４２の係止部４３，４４がラッチ部材５，６の上部を前方に押し込むことにより、図１４の時計方向にラッチ部材５，６が回動し、図１５のように施錠状態となる。
【００２９】
上下のラッチ部材５，６を連結する連結杆４は、図８、９に示すように、縦長の板状に形成された略中央部を、中間支持板３０の内側に沿わせるように、略コ字状に曲げて幅広部４ｃを形成している。その幅広部４ｃに、上記カム部材８の第１係合凸部８ａが進入する開口部４ａが設けられ、その開口部４ａの左側つまり中間支持板３０側に、回動係止部材９が連結杆４の幅広部４ｃに、枢軸９ａを介して回動可能に枢支される。なお、連結杆４の下部寄りには、図８のように、スイッチ作動片４ｄが突設され、連結杆４を上昇させて解錠動作させたとき、非接触スイッチ２０から解錠信号が出力されるようになっている。
【００３０】
回動係止部材９は、図８などに示すように、略Ｌ字状に形成され、その略中央部を枢軸９ａにより連結杆４の幅広部４ｃの左側に回動可能に枢支される。回動係止部材９の前部にはカム部材８の第１係合凸部８ａが係合するレバー状の係合部９ｃが形成され、回動係止部材９の下部には係合軸部９ｂが取り付けられる。
【００３１】
回動係止部材９の係合軸部９ｂは、中間支持板３０に設けた係止孔３６付き長孔３７に、移動可能に係合し、図１３に示すように、解錠時に、カム部材８により回動係止部材９が図１３の反時計方向に回動したとき、係止孔３６から外れて長孔３７に入り、その後、コイルばね１１のばね力によって連結杆４と共に回動係止部材９が、図１４に示すように上昇移動するようになっている。
【００３２】
また、前扉を閉じて施錠する施錠時には、１対のラッチ部材５，６が受け具４２の係止部４３，４に押されて図１５の時計方向に回動し、連結杆４がコイルばね１１の付勢力に抗して下降したとき、係合軸部９ｂが（コイルばね１１のばね力により回動係止部材９が図１３の時計方向に回動して）長孔３６から係止孔３７に入り、そこに係止され、図１２に示すように、連結杆４及びラッチ部材５，６をロックして施錠するようになっている。
【００３３】
上述の如く、連結杆４は、基枠体１の内側に上下に摺動可能に配設され、その上端部が連結軸５ｂを介して上側のラッチ部材５の偏心位置に連結され、連結杆４の下端部は連結軸６ｂを介して下側のラッチ部材６の偏心位置に連結される。また、連結杆４の中間位置つまりカム部材８に対向した位置に、幅広部４ｃが略コ字状に曲折して形成され、その幅広部４ｃの左側に回動係止部材９が枢軸９ａを介して回動可能に枢支される。
【００３４】
回動係止部材９は、図８などに示すように、略Ｌ字状に形成されるが、その背面側にばね掛け部９ｄが設けられ、ばね掛け部９ｄと中間支持板３０間に、コイルばね１１が、回動係止部材９を介して連結杆４を上昇させる（上に引き上げる）ように、掛け渡されている。コイルばね１１の付勢力により、施錠していない前扉の開放時には、図１４のように、連結杆４が回動係止部材９を介して引き上げられて上昇し、上下のラッチ部材５，６が解錠位置まで回動させた状態とされる。
【００３５】
また上記の如く、ゲーム機の前扉４１が閉じられ、ゲーム機の筐体４０側に取り付けた受け具４２の係止部４３，４４が上下のラッチ部材５，６の上部（ロック凹部の縁部）を押すと、各ラッチ部材５，６は、図１４の状態から枢軸５ａ，６ａを軸に時計方向に回動し、図１３に示す施錠位置までラッチ部材５，６が回動したとき、回動係止部材９が図１３の状態から図１２の状態、つまり回動係止部材９の係合軸部９ｂが中間支持板３０の長孔３６から係止孔３７に進入して係止され、連結杆４及び上下のラッチ部材５，６がロックされ、施錠されるようになっている。
【００３６】
図８などに示す如く、連結杆４の幅広部４ｃの外側（中間支持板３０との間）にスイッチ作動杆１０が摺動可能に配設される。スイッチ作動杆１０は、シリンダ錠７をキーにより反解錠方向に回し、カム部材８を同方向に回したとき、下降動作して、スイッチ箱１３内に設けた非接触スイッチ２１をオンオフ動作させるようになっている。このために、図８のように、スイッチ作動杆１０の下部には、スイッチ作動片１０ｂが突設され、スイッチ作動杆１０のカム部材８との対向位置には、係合部１０ａが設けられ、シリンダ錠７の操作によりカム部材８を反解錠方向に回したとき、カム部材８の第２係合凸部８ｂがその係合部１０ａに係合し、スイッチ作動杆１０を下降させる構造となっている。
【００３７】
また、図８に示す如く、スイッチ作動杆１０の上部と下部にはガイド部１０ｃが連結杆４側に突設され、そのガイド部１０ｃが係合するガイド孔４ｂが連結杆４に設けられ、スイッチ作動杆１０はそのガイド部１０ｃを連結杆４のガイド孔４ｂに係合させ、上下に摺動可能に取り付けられる。また、スイッチ作動杆１０にはばね掛け部１０ｄが設けられ、そのばね掛け部１０ｄと中間支持板３０との間に、コイルばね１２が掛け渡され、スイッチ作動杆１０はコイルばね１２により上方に付勢される。
【００３８】
非接触スイッチ２０，２１は、基枠体１の略中央部の左側に固定されたスイッチ箱１３内に取り付けられ、スイッチ作動杆１０及び連結杆４のスイッチ作動片４ｄ、１０ｂもスイッチ箱１３内に挿入される。一方の非接触スイッチ２０は、連結杆４のスイッチ作動片４ｄの移動に応じてスイッチングし、解錠時に信号を出力し、他方の非接触スイッチ２１は、シリンダ錠７を反解錠側に回し、カム部材８を介してスイッチ作動杆１０が下降したとき、リセット信号などを出力するようになっている。このように、スイッチ作動片４ｄ、１０ｂ及び非接触スイッチ２０，２１がスイッチ箱１３内に収容されるので、施錠装置の輸送途中などに非接触スイッチ２０，２１が他の部材との干渉によって傷つく虞がなく、また不正に非接触スイッチ２０，２１が動作する虞も解消できる。
【００３９】
さらに、図２、図８などに示すように、シリンダ錠７近傍の基枠体１の背面側を覆ってカバー体１４が取り付けられる。このカバー体１４は、中間支持板３０、回動係止部材９、コイルばね１１，１２、及びカム部材８を完全に覆うように、取り付けられ、これにより、前扉４１の自由端側の隙間から針金などの不正器具が挿入された場合でも、中間支持板３０、回動係止部材９、コイルばね１１，１２、及びカム部材８に、その不正器具が触れないようにし、不正解錠を防止するようになっている。
【００４０】
次に、上記構成の施錠装置の動作を説明する。施錠装置は、図１５に示すように、ゲーム機の前扉４１の内側の自由端側（向かって右側）に、取付板２を介して縦に固定され、筐体４０内の対向位置（右側壁部内面）に縦長の受け具４２が取り付けられる。
【００４１】
図１４，１５に示す如く、受け具４２は帯板状の取付板の上部寄りと下部寄りに、軸ピン状の係止部４３，４４を水平横方向に突設し、さらに、係止部４３の下方の上記支持ローラ１５に対応する位置に、滑り板４５を取り付けて形成され、このような受け具４２は筐体４０の内壁面に縦に固定される。施錠装置は、前扉４１の内側に縦に取り付けられ、且つシリンダ錠７の鍵口が前扉４１の前面に露出するように取り付けられる。
【００４２】
解錠した状態の施錠装置は、図１４のように、回動係止部材９の係合軸部９ｂが係止孔付き長孔６３の上端にあり、連結杆４がコイルばね１１の付勢力により上方に移動した状態であって、上下のラッチ部材５，６はそのロック凹部５ｃ、６ｃを垂直方向に対し約５０°背面側に傾斜させ、開放した状態となる。
【００４３】
この状態で、前扉４１を筐体４０に対し閉じると、受け具４２の上下の係止部４３，４４が、ラッチ部材５，６のロック凹部５ｃ、６ｃの縁部を押し込むように作用し、図１５の時計方向にラッチ部材５，６が回動する。これに伴い、各ラッチ部材５，６は、枢軸５ａ，６ａを中心に図１３，１４の時計方向に回動し、連結杆４がコイルばね１１の付勢力に抗して下降する。このとき、図１３に示す施錠位置までラッチ部材５，６が回動し、連結杆４が下降すると、回動係止部材９が図１３の状態から図１２の状態、つまり回動係止部材９の係合軸部９ｂがコイルばね１１のばね力によって、中間支持板３０の長孔３６から係止孔３７の入口まで進み、このとき、回動係止部材９がばね力によって図１３の時計方向に僅かに回動して、図１２の状態となり、連結杆４及び上下のラッチ部材５，６が施錠位置でロックされ、受け具４２の係止部４３，４４がラッチ部材５，６のロック凹部５ｃ、６ｃ内に拘束され、図１５に示すような施錠状態となる。
【００４４】
一方、前扉４１を解錠する場合、シリンダ錠７に鍵を挿入しその鍵を右に回すと、カム部材８が同方向に回動し、カム部材８の第１係合凸部８ａが図１６に示すように、回動係止部材９の係合部９ｃに係合し、このとき、回動係止部材９はカム部材８の第１係合凸部８ａに押されて、その枢軸９ａを中心に図１３の反時計方向に僅かに回動し、図１３に示す位置まで回動係止部材９の係合軸部９ｂが移動する。このとき、係止孔３７の係止されていた係合軸部９ｂはその係止を外され、回動係止部材９はコイルばね１１の付勢力により連結杆４と共に上昇し、連結杆４の上昇に伴い、上下のラッチ部材５，６は、図１４に示すように、反時計方向に回動し、そのロック凹部５ｃ、６ｃが背面側に開放され、これにより、受け具４２の係止部４３，４４が拘束を解除され、解錠状態となる。
【００４５】
このように、解錠操作する際、シリンダ錠７を回動操作してカム部材８を回すと、回動係止部材９の係合軸部９ｂの係止が解除され、その後、コイルばね１１の付勢力により連結杆４が上昇してラッチ部材５，６が解錠方向に回動するため、シリンダ錠７の僅かな回動操作のみで、回動係止部材９を回動させて解錠操作を簡単に且つスムーズに行なうことができる。また、前扉４１を閉じて施錠する際には、１本のコイルばね１１の付勢力に抗して上下のラッチ部材５，６を回動させればよく、コイルばね１１のばね力は比較的小さくすることができるため、前扉４１を閉じる際も、容易に施錠することができる。
【００４６】
なお、上記実施形態では、ラッチ部材５，６を支持板３の外側に取り付けたが、上下のラッチ部材を支持板３の内側（基枠体１の内側）に枢軸を介して枢支し、中間支持板とその上下の支持板は一体とし、連結杆をその支持板の内側に摺動可能に配設する構成とすることもできる。
【符号の説明】
【００４７】
１      基枠体
２      取付板
３      支持板
４      連結杆
５      ラッチ部材
５ａ    枢軸
５ｂ    連結軸
５ｃ    ロック凹部
５ｄ    係止部
５ｅ    係止部
６      ラッチ部材
６ａ    枢軸
６ｂ    連結軸
６ｃ    ロック凹部
７      シリンダ錠
７ａ    錠軸
８      カム部材
９      回動係止部材
９ａ    枢軸
９ｂ    係合軸部
９ｃ    係合部
３０    中間支持板
３１    開口凹部
３３    ストッパ
３４    ストッパ
３６    長孔
３７    係止孔
４０    筐体
４１    前扉
４２    受け具
４３    係止部
４４    係止部
【図１】
2011254851.tif 000003
【図２】
2011254851.tif 000004
【図３】
2011254851.tif 000005
【図４】
2011254851.tif 000006
【図５】
2011254851.tif 000007
【図６】
2011254851.tif 000008
【図７】
2011254851.tif 000009
【図８】
2011254851.tif 000010
【図９】
2011254851.tif 000011
【図１０】
2011254851.tif 000012
【図１１】
2011254851.tif 000013
【図１２】
2011254851.tif 000014
【図１３】
2011254851.tif 000015
【図１４】
2011254851.tif 000016
【図１５】
2011254851.tif 000017
【図１６】
2011254851.tif 000018